(57)【要約】【課題】ＩＣチップや生体認証などの技術を用いることなく、非接触式スキミングによる磁気カードの磁気情報の読み取りを簡単に防止するとともに、磁気情報の読み取りを防止手段を磁気カードの保護のほか、その他の用途にも利用できるようする。【解決手段】磁気カード（２）とほぼ等しい形状の非磁性体製の透明なシート（３）の少なくとも一辺にＬ字状の案内片（４）をシート（３）と一体に設けて、シート（３）と案内片（４）との間で磁気カード（２）に対して抜き差し自在の案内溝（５）を形成するとともに、磁気カード（２）の磁気記録部（６）に対応させてシート（３）の面に薄い金属層（７）を形成し、さらに金属層（７）を形成しない部分でシート（３）に窓（８）を形成し、この窓（８）にシート（３）の透明な材料によりフレネルレンズ（９）を一体に形成する。【選択図】図１
0003113142.tif 000002
【実用新案登録請求の範囲】
【請求項１】
磁気カード（２）とほぼ等しい形状の非磁性体製のシート（３）の少なくとも一辺にＬ字状の案内片（４）を設けて、シート（３）と案内片（４）との間で磁気カード（２）に対して抜き差し自在の案内溝（５）を形成するとともに、磁気カード（２）の磁気記録部（６）に対応させてシート（３）の面に薄い金属層（７）を形成し、さらに金属層（７）以外のシート（３）の部分に窓（８）を形成し、この窓（８）にフレネルレンズ（９）を配置することを特徴とする磁気カード保護ケース（１）。
【請求項２】
磁気カード（２）とほぼ等しい形状の非磁性体製の透明なシート（３）の少なくとも一辺にＬ字状の案内片（４）をシート（３）と一体に設けて、シート（３）と案内片（４）との間で磁気カード（２）に対して抜き差し自在の案内溝（５）を形成するとともに、磁気カード（２）の磁気記録部（６）に対応させてシート（３）の面に薄い金属層（７）を形成し、さらに金属層（７）を形成しない部分でシート（３）に窓（８）を形成し、この窓（８）にシート（３）の透明な材料によりフレネルレンズ（９）を一体に形成することを特徴とする磁気カード保護ケース（１）。
【考案の詳細な説明】
【技術分野】
【０００１】
本考案は、銀行のキャシュカードやクレジット会社のクレジットカードなどの磁気カードの磁気情報を保護するケースに関する。
【背景技術】
【０００２】
特許文献１などには、磁気カードの偽造防止手段が提案されているが、最近、磁気カードの磁気情報のみを非接触で読み取る手法（非接触式スキミング）など巧妙な盗用が出現していることから、これの対策が望まれている。なお、ＩＣチップや生体認証などの技術によって、スキミングが防止できるが、高価となるため、その解決手段は容易に実施できる状況にない。
【特許文献１】特開平５−１４３９５９号公報
【考案の開示】
【考案が解決しようとする課題】
【０００３】
本考案の課題は、ＩＣチップや生体認証などの技術を用いることなく、非接触式スキミングによる磁気カードの磁気情報の読み取りを簡単に防止するとともに、磁気情報の読み取りを防止手段を磁気カードの保護のほか、その他の用途にも利用できるようすることである。
【課題を解決するための手段】
【０００４】
上記の課題のもとに、本考案は、磁気カード（２）とほぼ等しい形状の非磁性体製のシート（３）の少なくとも一辺にＬ字状の案内片（４）を設けて、シート（３）と案内片（４）との間で磁気カード（２）に対して抜き差し自在の案内溝（５）を形成するとともに、磁気カード（２）の磁気記録部（６）に対応させてシート（３）の面に薄い金属層（７）を形成し、さらに金属層（７）以外のシート（３）の部分に窓（８）を形成し、この窓（８）にフレネルレンズ（９）を配置することによって、磁気カード保護ケース（１）を構成している（請求項１）。
【０００５】
また、本考案は、磁気カード（２）とほぼ等しい形状の非磁性体製の透明なシート（３）の少なくとも一辺にＬ字状の案内片（４）をシート（３）と一体に設けて、シート（３）と案内片（４）との間で磁気カード（２）に対して抜き差し自在の案内溝（５）を形成するとともに、磁気カード（２）の磁気記録部（６）に対応させてシート（３）の面に薄い金属層（７）を形成し、さらに金属層（７）を形成しない部分でシート（３）に窓（８）を形成し、この窓（８）にシート（３）の透明な材料によりフレネルレンズ（９）を一体に形成することによって、磁気カード保護ケース（１）を構成している（請求項２）。
【考案の効果】
【０００６】
請求項１によると、磁気カード保護ケース（１）が磁気カード（２）に差し込まれている状態のとき、磁気記録面（６）が金属層（７）によって保護されているから、外部からの非接触式スキミングによる磁気情報の読み取りが簡単に防止でき、しかも磁気カード保護ケース（１）と磁気カード（２）との組み合わせ状態でもかさばらないため、磁気カード（２）単体と同様な取扱いが可能であり、また磁気カード保護ケース（１）を磁気カード（２）から抜いたとき、その窓（８）のフレネルレンズ（９）を小さな文字などの判読に利用できる。
【０００７】
請求項２によると、上記請求項１の効果のほかに、金属層（７）が窓（８）を形成し、シート（３）の透明な材料がフレネルレンズ（９）を一体に形成するから、２つの材料によって、有用な磁気カード保護ケース（１）が安価に提供できる。
【考案を実施するための最良の形態】
【０００８】
図１および図２は、本考案に係る磁気カード保護ケース１を示している。磁気カード保護ケース１は、保護対象の磁気カード２とほぼ等しい形状の非磁性体製のシート３の少なくとも一辺、一例として対向辺にＬ字状の案内片４を裏面側に向けて平行に設け、シート３の裏面にシート３と一対の案内片４との間で磁気カード２に対して抜き差し自在の角形の案内溝５を形成するとともに、磁気カード２の磁気記録部６に対応させて、シート３の表面または裏面に薄い金属層７を形成し、さらに金属層７以外のシート３の部分に窓８を形成し、この窓８にフレネルレンズ９を配置することによって、構成されている。
【０００９】
図示の例において、シート３は非磁性体製の透明な材料、例えばポリカーボネートにより構成されており、Ｌ字状の案内片４はシート３と一体の材料により形成されている。また金属層７は、少なくとも磁気カード２の磁気記録面６に対応させて、シート３の表面または裏面に、金箔、銀箔、銅箔などの反磁性材料を張りつけるか、またはそれらの反磁性材料を真空蒸着により形成されている。
【００１０】
また、シート３の窓８は、シート３を不透明な材料で構成したとき、その材料を打ち抜いて開口により形成することになる。好ましい例として、シート３が透明な材料で構成されているとき、窓８は、金属層７を形成しない部分で非開口状態のものとして形成する。このため、フレネルレンズ９は、シート３の透明な材料によって、シート３を製作する過程で一体に形成すると、２つの材料（シート３の不透明な材料および金属層７の材料）によって、安価な磁気カード保護ケース１が提供できることから有利である。
【００１１】
磁気カード保護ケース１の利用者は、磁気カード保護ケース１の案内溝５を磁気カード２に差し込んで、両者を組み合わせ状態として携帯する。両者の組み合わせ状態のときに、磁気カード２の磁気記録部６が金属層７によって保護されているから、外部からの磁気情報の読み取り、特に非接触スキミングが簡単に防止できる。磁気カード保護ケース１と磁気カード２との組み合わせ状態でも、それらがかさばらないため、磁気カード２単体と同様な取扱いが可能である。また利用者は、必要に応じて磁気カード保護ケース１を磁気カード２から抜けば、その窓８のフレネルレンズ９を小さな文字などの判読に利用できるので便利である。
【００１２】
図３は他の例を示している。図３の例は、シート３の少なくとも一辺にのみ幅広なＬ字状の案内片４を設け、この案内片４の内側面にも金属層７を形成されている。このため、磁気カード２の磁気記録部６は、表裏側から金属層７により挟まれた状態で保護される。したがって、非接触スキミングが一層確実に防止できる。
【産業上の利用可能性】
【００１３】
本考案の磁気カード保護ケース１は、銀行のキャシュカードやクレジット会社のクレジットカードに限らず、乗車券など各種商品の購入カードにも利用できる。
【図面の簡単な説明】
【００１４】
【図１】本考案の磁気カード保護ケース１の平面図である。
【図２】図１において本考案の磁気カード保護ケース１のＡ−Ａ断面図である。
【図３】他の例による本考案の磁気カード保護ケース１の断面図である。
【符号の説明】
【００１５】
１  磁気カード保護ケース
２  磁気カード
３  シート
４  案内片
５  案内溝
６  磁気記録部
７  金属層
８  窓
９  フレネルレンズ
【図１】
0003113142.tif 000003
【図２】
0003113142.tif 000004
【図３】
0003113142.tif 000005